(57)【特許請求の範囲】
【請求項１】
マルチキャリアアグリゲーションシステムにおいて、マルチメディア放送マルチキャストサービス（ＭＢＭＳ)制御情報を送信する方法であって、当該方法は、ＭＢＭＳを送信する際に、ネットワーク側がコンポーネントキャリア（ＣＣ)を、ＭＢＭＳを載せるＣＣ及びＭＢＭＳを載せないＣＣと確定すること、及びＭＢＭＳを載せるＣＣにおいてＭＢＭＳのサービス制御情報及びサービスデータを送信することを含む方法であって、
当該方法は、ネットワーク側がＭＢＭＳを載せないＣＣにおいてＭＢＭＳを載せるＣＣにおけるＭＢＭＳの関連制御情報を送信することをさらに含み、
前記関連制御情報は、前記関連制御情報に従って、ユーザー装置（ＵＥ）が自身が興味を持つＭＢＭＳであるかどうかを確定し、確定した時に関連情報に従ってＵＥ自身を調整して前記ＭＢＭＳを乗せるＣＣに移動して前記ＭＢＭＳを受信することに、また、ユーザー装置（ＵＥ）が興味を持つＭＢＭＳが送信開始するかどうかまたは、すでに送信開始されたかどうかを表示するために使用されるものであることを特徴とする方法。
【請求項２】
前記関連制御情報を送信する時に、当該方法は、ネットワーク側が前記ＭＢＭＳを載せないＣＣにおいて前記関連制御情報を送信する時間が前記ＭＢＭＳを載せるＣＣにおいて前記サービス制御情報を送信する時間より遅くないことをさらに含むことを特徴とする請求項１に記載の方法。
【請求項３】
前記関連制御情報がマルチキャスト制御チャネル（ＭＣＣＨ)情報を含み、
送信される前記関連制御情報が送信される前記サービス制御情報と時間上で整列されることを特徴とする請求項１に記載の方法。
【請求項４】
前記関連制御情報が、マルチキャストチャネルスケジューリング情報（ＭＳＩ)をさらに含むことを特徴とする請求項３に記載の方法。
【請求項５】
前記関連制御情報が、間も無く開始するＭＢＭＳの会話情報、及び／又は初期のＭＢＭＳの会話情報を含み、
前記関連制御情報は前記サービス制御情報と改正周期が同じであることを特徴とする請求項２に記載の方法。
【請求項６】
前記関連制御情報を送信する時に、当該方法は、ネットワーク側が前記ＭＢＭＳを載せないＣＣに識別子を追加して、前記ＭＢＭＳを載せないＣＣにおいて上記前記ＭＢＭＳの前記関連制御情報だけを送信することを指示することをさらに含むことを特徴とする請求項１〜５のいずれかの１項に記載の方法。
【請求項７】
当該方法は、ユーザー装置（ＵＥ)が受信された前記関連制御情報に従って、前記ＭＢＭＳを受信するかどうかを確定することをさらに含むことを特徴とする請求項１〜５のいずれかの１項に記載の方法。
【請求項８】
前記ネットワーク側がマルチセル協調エンティティ（ＭＣＥ)、または基地局、または中継局であることを特徴とする請求項１〜５のいずれかの１項に記載の方法。
【請求項９】
マルチキャリアアグリゲーションシステムにおいてＭＢＭＳ制御情報を送信するシステムであって、当該システムは、ＭＢＭＳを送信する必要がある際に、ＣＣを、ＭＢＭＳを載せるＣＣ及びＭＢＭＳを載せないＣＣと確定して、ＭＢＭＳを載せるＣＣにおいてＭＢＭＳのサービス制御情報及びサービスデータを送信することに使用されるネットワーク側を含み、
ＭＢＭＳを送信する際に、前記ネットワーク側が、ＭＢＭＳを載せないＣＣにおいてＭＢＭＳを載せるＣＣにおけるＭＢＭＳの関連制御情報を送信することにさらに使用され、前記関連制御情報は、前記関連制御情報に従って、ＵＥが自身が興味を持つＭＢＭＳであるかどうかを確定し、確定した時に関連情報に従ってＵＥ自身を調整して前記ＭＢＭＳを乗せるＣＣに移動して前記ＭＢＭＳを受信することに、また、ＵＥが興味を持つＭＢＭＳが送信開始するかどうか、または、すでに送信開始されたかどうかを表示することに使用されるものであることを特徴とするシステム。
【請求項１０】
前記関連制御情報を送信する時間がＭＢＭＳを載せるＣＣにおいて前記サービス制御情報を送信する時間より遅くないことを特徴とする請求項９に記載のシステム。
【請求項１１】
前記関連制御情報がＭＣＣＨ情報を含み、
送信される前記関連制御情報が送信される前記サービス制御情報と時間上で整列されることを特徴とする請求項９に記載のシステム。
【請求項１２】
前記関連制御情報が、ＭＳＩをさらに含むことを特徴とする請求項１１に記載のシステム。
【請求項１３】
前記関連制御情報が、間も無く開始するＭＢＭＳの会話情報、及び／又は初期のＭＢＭＳの会話情報を含み、前記関連制御情報は前記サービス制御情報と改正周期が同じであることを特徴とする請求項１０に記載のシステム。
【請求項１４】
前記関連制御情報を送信する時に、前記ネットワーク側が、前記ＭＢＭＳを載せないＣＣに識別子を追加して、前記ＭＢＭＳを載せないＣＣにおいて前記ＭＢＭＳの前記関連制御情報だけを送信することを指示することにさらに使用されることを特徴とする請求項９〜１３のいずれかの１項に記載のシステム。
【請求項１５】
当該システムが、受信された前記関連制御情報に従って、前記ＭＢＭＳを受信するかどうかを確定することに使用されるＵＥをさらに含むことを特徴とする請求項９〜１３のいずれかの１項に記載のシステム。
【請求項１６】
前記ネットワーク側が、ＭＣＥ、または基地局、または中継局であることを特徴とする請求項９〜１３のいずれかの１項に記載のシステム。
【発明の詳細な説明】
【技術分野】
【０００１】
本発明は、マルチキャリアアグリゲーションシステムにおいてマルチメディア放送マルチキャストサービス（ＭＢＭＳ：Ｍｕｌｔｉｍｅｄｉａ  Ｂｒｏａｄｃａｓｔ  Ｍｕｌｔｉｃａｓｔ  Ｓｅｒｖｉｃｅ)を送信する技術に関し、特にマルチキャリアアグリゲーションシステムにおいてＭＢＭＳ制御情報を送信する方法及びシステムに関する。
【背景技術】
【０００２】
インターネット技術の目覚しい発展及び大画面多機能携帯電話の普及に伴い、例えば、ビデオ会議、テレビ放送、ビデオ・オン・デマンド、ビデオ広告、オンライン教育、インタラクティブゲーム等のような大量の移動データマルチメディアサービス及び様々な高帯域マルチメディアサービスが現れ、前記マルチメディアサービスが移動ユーザーの増加するサービス要求を満たした上に、移動事業者に新たなサービス成長点を提供した。これらの移動データマルチメディアサービスは、複数のユーザーが同時に同じデータを受信できることを要求するので、一般的なデータサービスと比べて、データ量が大きく、継続時間が長く、及び時間遅延に敏感である等の特徴を有する。移動ネットワークリソースを効果的に利用するために、第3世代パートナーシッププロジェクト（３ＧＰＰ：３ｒｄ  Ｇｅｎｅｒａｔｉｏｎ  Ｐａｒｔｎｅｒｓｈｉｐ  Ｐｒｏｊｅｃｔ)はＭＢＭＳを提案した。このサービスは、一つのデータ元から複数のターゲットにデータを送信する技術であり、ネットワークリソースの共有を実現し、ネットワークリソース、特にエアインターフェースリソースの利用率を向上させ、ここで、前記ネットワークがコアネットワーク及びアクセスネットワークを含む。３ＧＰＰに定義されたＭＢＭＳは、プレーンテキストで低速タイプのメッセージのマルチキャスト及び放送を実現できるだけではなく、高速マルチメディアサービスの放送及びマルチキャストも実現でき、多種類の豊富なビデオ、オーディオ及びマルチメディアサービスを提供した。これは間違いなく未来の移動データ発展の傾向に順応し、第3世代移動通信（３Ｇ：３ｒｄ  Ｇｅｎｅｒａｔｉｏｎ)の発展により良いサービスの展望を提供した。
【０００３】
ロング・ターム・エボリューション（ＬＴＥ-Ａ：Ｌｏｎｇ  Ｔｅｒｍ  Ｅｖｏｌｕｔｉｏｎ-Ａｄｖａｎｃｅｄ)システムにおいて、マルチキャリアアグリゲーション技術が導入される。前記マルチキャリアアグリゲーション技術とは、一つの地理位置が複数の異なる周波数のキャリアによってカバーされることであり、これらのキャリアの周波数の間が連続的なものでも、離散的なものでもいい、ネットワーク側が同時に二つ以上のキャリアを使用して一つのユーザー装置(ＵＥ：Ｕｓｅｒ  Ｅｑｕｉｐｍｅｎｔ)にデータを送信し、ＵＥが同時に二つ以上のキャリアでデータを受信する。現在、プロトコルに規定されたマルチキャリアアグリゲーション技術は下記内容を含む。
【０００４】
各ＵＥが少なくても二つのコンポーネントキャリア（ＣＣ：Ｃｏｍｐｏｎｅｎｔ  Ｃａｒｒｉｅｒ)のアグリゲーションをサポートする。
ネットワーク側がＵＥにＣＣを割当て、どれがこのＵＥのプライマリセル（Ｐｃｅｌｌ：ＰｒｉｍａｒｙＣｅｌｌ)であり、どれがこのＵＥのセカンダリセル（Ｓｃｅｌｌ：Ｓｅｃｏｎｄａｒｙ  Ｃｅｌｌ)であるかを示す。
【０００５】
アイドル状態にあるＵＥが自分のＰｃｅｌｌに滞在する。
Ｐｃｅｌｌが常に有効化の状態にある。
ネットワーク側が、ＵＥのＳｃｅｌｌをクローズ（無効化とも呼ばれる）またはオープン（有効化とも呼ばれる）することができる。
【０００６】
ＵＥは、クローズされたＳｃｅｌｌにおいて、物理下りリンク制御チャネル（ＰＤＣＣＨ：Ｐｈｙｓｉｃａｌ  Ｄｏｗｎｌｉｎｋ  Ｃｏｎｔｒｏｌ  Ｃｈａｎｎｅｌ)においてメッセージを受信しない。
【０００７】
ＵＥは、クローズされたＳｃｅｌｌにおいて、物理下りリンク共有チャネル（ＰＤＳＣＨ：Ｐｈｙｓｉｃａｌ  Ｄｏｗｎｌｉｎｋ  Ｓｈａｒｅｄ  Ｃｈａｎｎｅｌ)においてメッセージを受信しない。
【０００８】
ＵＥは、クローズされたＳｃｅｌｌにおいて、下りリンクキャリアのチャネル品質指標（ＣＱＩ：Ｃｈａｎｎｅｌ  Ｑｕａｌｉｔｙ  Ｉｎｄｉｃａｔｏｒ)の計測を行わない。
【０００９】
Ｓｃｅｌｌは初期デフォルト状態が“無効化”である。
ＵＥは、Ｐｃｅｌｌのみにおいて放送制御チャネル（ＢＣＣＨ：Ｂｒｏａｄｃａｓｔ  Ｃｏｎｔｒｏｌ  Ｃｈａｎｎｅｌ)メッセージと呼出メッセージ(Ｐａｇｉｎｇ  ｍｅｓｓａｇｅ)を受信する。
ＵＥは、ＳｃｅｌｌにおいてＰＤＣＣＨのパブリックサーチ領域をサーチしない。
【００１０】
前記説明によって、従来のマルチキャリアアグリゲーション技術において、一つのＣＣだけを使用してＭＢＭＳを送信することが分かり、その主な目的は、簡単であり、標準化作業量を減少させ、標準化プロセスを加速させることである。しかし、こうすると、ＵＥがＭＢＭＳを載せるＣＣに早期に盲目的に集中して、ＭＢＭＳを載せるＣＣにおける上りリンクランダムアクセスへの影響の継続時間を増加させてしまって、システムパフォーマンスを低下させる。例として、マルチキャリアアグリゲーションシステムにおいて、三つのＣＣがあって、それぞれＣＣ１、ＣＣ２、及びＣＣ３と表示され、ＣＣ１だけでＭＢＭＳを提供することを仮定して、以下、マルチキャリアアグリゲーションのシステムが一つのコンポーネントキャリアだけでＭＢＭＳを送信することに存在する問題を分析する。
【００１１】
ＵＥは、ランダムに特定のＣＣを選択することで、マルチキャリアアグリゲーションシステムにアクセスを行うので、理論的には、各ＣＣによるＵＥのアクセスされるチャンスが同じで、且つ各ＣＣにアクセスされるＵＥの平均数がある。無線リソース制御（ＲＲＣ：Ｒａｄｉｏ  Ｒｅｓｏｕｒｃｅ  Ｃｏｎｔｒｏｌ)接続状態にあるＵＥに対して、ネットワーク側がリアルタイムにＵＥの情報を獲得でき、たとえば、ネットワーク側はＵＥがどのＣＣに位置するかを獲得できる。したがって、ネットワーク側が、ＲＲＣ接続状態にあるＵＥがニーズに応じて特定のＣＣにおいて動作するようにスケジューリングすることにより、各ＣＣにおける負荷のバランスを実現できる。一方、ネットワーク側は、アイドル状態にあるＵＥが位置するＣＣを獲得できないので、ネットワークはこのようなＵＥを特定のＣＣにスケジューリングすることができない。つまり、ＵＥがＭＢＭＳを載せるＣＣに、現時点で送信されるＭＢＭＳは自身の興味があるＭＢＭＳであるかをタイムリーに獲得できず、ＵＥが通知を受信してＭＢＭＳを載せるＣＣに集まった場合、ＭＢＭＳを載せるＣＣに現時点で送信されるＭＢＭＳは自身の興味があるＭＢＭＳではないことを発見すると、ＵＥがＭＢＭＳを載せるＣＣに早期に集まる現象が現れ、そうすると、ＭＢＭＳを載せるＣＣにおける上りリンクランダムアクセスへの影響の継続時間を潜在的に増加させる。つまり、上りリンクランダムアクセスにおける衝突確率を増大させる。また、従来の技術において、ＣＣ２またはＣＣ３において動作または滞在するＵＥは、ＣＣ１で自身の興味があるＭＢＭＳがすでに送信が開始することを正確に、タイムリーに獲得できない、こうすれば、ＵＥがタイムリーにＣＣ１において動作または滞在して興味があるＭＢＭＳの受信を開始することができなくなってしまう。
【発明の概要】
【発明が解決しようとする課題】
【００１２】
こうした状況に鑑み、本発明の実施例の主な目的は、マルチキャリアアグリゲーションシステムにおいてＭＢＭＳ制御情報を送信する方法及びシステムを提供して、ＭＢＭＳを載せないＣＣにおいて動作または滞在するＵＥを、ＭＢＭＳを載せるＣＣにおけるＵＥが興味があるＭＢＭＳのセッション開始をタイムリーに、正確的に調べることができることにある。
【課題を解決するための手段】
【００１３】
前記課題を解決するため、本発明の実施例の技術方案が下記のように実現された。
本発明の実施例は、マルチキャリアアグリゲーションシステムにおいて、ＭＢＭＳ制御情報を送信する方法を提供して、この方法は、ＭＢＭＳを送信する際に、ネットワーク側がＣＣを、ＭＢＭＳを載せるＣＣとＭＢＭＳを載せないＣＣとに確定して、ＭＢＭＳを載せるＣＣにおいてＭＢＭＳのサービス制御情報及びサービスデータを送信することを含み、この方法は、さらに、ネットワーク側がＭＢＭＳを載せないＣＣにおいてＭＢＭＳを載せるＣＣにおけるＭＢＭＳの関連制御情報を送信することを含む。
【００１４】
前記方案において、前記関連制御情報を送信する場合に、この方法は、さらに、ネットワーク側が前記ＭＢＭＳを載せないＣＣにおいて前記関連制御情報を送信する時間が前記ＭＢＭＳを載せないＣＣにおいて前記サービス制御情報を送信する時間より遅くないことをさらに含んでも良い。
【００１５】
前記方案において、前記関連制御情報がマルチキャスト制御チャネル（ＭＣＣＨ：Ｍｕｌｔｉｃａｓｔ  Ｃｏｎｔｒｏｌ  Ｃｈａｎｎｅｌ)情報を含んでもよい。
送信される前記関連制御情報が送信される前記サービス制御情報と時間上で整列される。
【００１６】
前記方案において、前記関連制御情報が、さらに、マルチキャストチャネルスケジューリング情報（ＭＳＩ：Ｍｕｌｔｉｃａｓｔ  ＣＨａｎｎｅｌ  Ｓｃｈｅｄｕｌｉｎｇ  Ｉｎｆｏｒｍａｔｉｏｎ)を含んでもよい。
前記方案において、前記関連制御情報は、間も無く開始するＭＢＭＳのセッション情報、及び／又は初期のＭＢＭＳのセッション情報を含んでもよい。
前記関連制御情報は前記サービス制御情報と改正周期が同じである。
【００１７】
前記方案において、前記関連制御情報を送信する場合に、この方法は、さらに、ネットワーク側が前記ＭＢＭＳを載せないＣＣに識別子を追加して、前記ＭＢＭＳを載せないＣＣにおいて前記ＭＢＭＳの前記関連制御情報だけを送信することを示すことを含んでもよい。
【００１８】
前記方案において、この方法は、さらに、ＵＥによって受信された前記関連制御情報に従って、ＵＥが前記ＭＢＭＳを受信するかどうかを確定することを含んでもよい。
【００１９】
前記方案において、前記ネットワーク側が、マルチセル／マルチキャスト協調エンティティ（ＭＣＥ：Ｍｕｌｔｉ-ｃｅｌｌ/ｍｕｌｔｉｃａｓｔ  Ｃｏｏｒｄｉｎａｔｉｏｎ  Ｅｎｔｉｔｙ)、または基地局、または中継局であってもよい。
【００２０】
本発明の実施例は、さらにマルチキャリアアグリゲーションシステムにおいてＭＢＭＳ制御情報を送信するシステムを提供して、このシステムがネットワーク側を含み、ＭＢＭＳを送信する必要がある際に、ＣＣをＭＢＭＳを載せるＣＣとＭＢＭＳを載せないＣＣとに確定して、ＭＢＭＳを載せるＣＣにおいてＭＢＭＳのサービス制御情報及びサービスデータを送信することに使用される。
【００２１】
ここで、ＭＢＭＳを送信する際に、前記ネットワーク側が、さらに、ＭＢＭＳを載せないＣＣにおいてＭＢＭＳを載せるＣＣにおけるＭＢＭＳの関連制御情報を送信するように構成される。
【００２２】
前記方案において、前記関連制御情報を送信する時間がＭＢＭＳを載せるＣＣにおいて前記サービス制御情報を送信する時間より遅くなくてもよい。
【００２３】
前記方案において、前記関連制御情報を送信する場合に、前記ネットワーク側が、さらに、前記ＭＢＭＳを載せないＣＣに識別子を追加して、前記ＭＢＭＳを載せないＣＣにおいて前記ＭＢＭＳの前記関連制御情報だけを送信することを示すように構成されてもよい。
【００２４】
前記方案において、このシステムがさらに、受信された前記関連制御情報に従って、前記ＭＢＭＳを受信するかどうかを確定するように構成されるＵＥを含んでもよい。
【００２５】
本発明の実施例に提供されるマルチキャリアアグリゲーションシステムにおいてＭＢＭＳ制御情報を送信する方法及びシステムは、ＭＢＭＳを送信する際に、ネットワーク側がＭＢＭＳを載せるＣＣにおいてＭＢＭＳのサービス制御情報及びサービスデータを送信して、ＭＢＭＳを載せないＣＣにおいてＭＢＭＳを載せるＣＣにおけるＭＢＭＳの関連制御情報を送信する。ＵＥが前記関連制御情報を受信した後、ＵＥは前記関連制御情報に従って、前記ＭＢＭＳを受信するかどうかを確定して、そうすれば、ＭＢＭＳを載せないＣＣにおいて動作または滞在するＵＥを、ＭＢＭＳを載せるＣＣにおける興味があるＭＢＭＳのセッション開始をタイムリーに、正確的に発現させることができ、ＭＢＭＳを載せないＣＣにおいて動作または滞在するＵＥがＭＢＭＳを載せるＣＣに早期に盲目的に集中することを回避して、さらにＭＢＭＳを載せるＣＣにおける上りリンクランダムアクセスへの影響の継続時間を効果的に減少でき、すなわち、上りリンクランダムアクセス衝突の確率を効果的に減少させ、システム性能を向上させることができる。
【００２６】
また、前記関連制御情報が間も無く開始するＭＢＭＳのセッション情報、及び／又は初期のＭＢＭＳのセッション情報でもいい、そうすれば、シグナリングオーバーヘッドを減少でき、さらにシステム性能を向上させる。
【図面の簡単な説明】
【００２７】
【図１】本発明実施例のマルチキャリアアグリゲーションシステムにおいてＭＢＭＳ制御情報を送信する方法のプロセス模式図である。
【図２】本発明実施例のマルチキャリアアグリゲーションシステムにおいてＭＢＭＳ制御情報を送信するシステムの構成模式図である。
【発明を実施するための形態】
【００２８】
本発明の実施例の基本的な考えは次の通りである。ＭＢＭＳを送信する際に、ネットワーク側が、ＭＢＭＳを載せるＣＣを確定し、同時にＭＢＭＳを載せないＣＣを確定し、ネットワーク側がＭＢＭＳを送信する際に、ＭＢＭＳを載せるＣＣにおいてＭＢＭＳのサービス制御情報及びサービスデータを送信し、ＭＢＭＳを載せないＣＣにおいてＭＢＭＳを載せるＣＣにおけるＭＢＭＳの関連制御情報を送信して、サービスデータを送信しない。さらに、対応するＣＣに識別子を追加して、対応するＣＣにおいてＭＢＭＳの関連制御情報だけを送信して、サービスデータを送信しないかどうかを指示してもよい。
【００２９】
下記添付される図面及び具体的な実施例を参照して本発明に対してさらに詳細に説明する。
本発明実施例のマルチキャリアアグリゲーションシステムにおいてＭＢＭＳ制御情報を送信する方法は、図１に示すように、以下のステップを含む。
【００３０】
ステップ１０１：ＭＢＭＳを送信する際に、ネットワーク側が、ＣＣをＭＢＭＳを載せるＣＣとＭＢＭＳを載せないＣＣとに確定して、ＭＢＭＳを載せるＣＣにおいて、ＭＢＭＳのサービス制御情報およびサービスデータを送信し、ＭＢＭＳを載せないＣＣにおいてＭＢＭＳを載せるＣＣにおけるＭＢＭＳの関連制御情報を送信する。
【００３１】
ここで、前記ＭＢＭＳとは、マルチキャスト送信チャネル（ＭＴＣＨ：Ｍｕｌｔｉｃａｓｔ  Ｔｒａｆｆｉｃ  ＣＨａｎｎｅｌ)におけるデータが物理マルチキャストチャネル(ＰＭＣＨ：Ｐｈｙｓｉｃａｌ  Ｍｕｌｔｉｃａｓｔ  ＣＨａｎｎｅｌ)にマッピングされて送信されるデータであり、前記ＭＢＭＳがサービス制御情報及びサービスデータを含み、前記サービス制御情報は、ＭＣＣＨ情報及びＭＳＩを含む。
前記ＭＢＭＳを載せないＣＣとは、ＭＢＭＳのサービスデータを送信しないＣＣである。
【００３２】
前記関連制御情報は、ＵＥに興味があるＭＢＭＳがすでに送信開始するかどうかを指示することに使用されて、前記関連制御情報が、ＭＣＣＨ情報を含んでもいい、さらに、前記関連制御情報が、ＭＳＩを含んでもいい、この中に、前記ＭＳＩは、各サービスが具体的にどのサブフレームにおいて送信されることを指示することに使用される。
【００３３】
具体的に、実際に応用する時、マルチキャリアシステムにおいて、一般的に、同じ基地局またはセルの配下にすべてのＣＣがいずれも簡単に厳格な下りリンク同期を実現できることを考慮する。この場合、前記関連制御情報がＭＢＭＳを載せるＣＣにおいて送信されるサービス制御情報の内容と同じで、且つ送信される前記関連制御情報が送信される前記サービス制御情報と時間上で整列されてもよい、即ち、同じ送信周期、改正周期、フレームオフセット、サブフレーム番号、および変調符号化方式（ＭＣＳ：Ｍｏｄｕｌａｔｉｏｎａｎｄ  Ｃｏｄｉｎｇ  Ｓｃｈｅｍｅ)などを有していてもよい。この中に、前記サービス制御情報が、ＭＣＣＨ情報及びＭＳＩを含み、同様に、前記関連制御情報が、ＭＣＣＨ情報及びＭＳＩを含む。前記状況で、前記関連制御情報が、さらに、ＭＢＭＳを載せるＣＣにおいて送信されるサービス制御情報のＭＣＣＨ情報の内容と同じで、且つ送信される前記関連制御情報が送信される前記サービス制御情報と時間上で整列されてもよい。この時に、前記関連制御情報は、ＭＣＣＨ情報を含む。
【００３４】
実際に応用する時、前記関連制御情報は、さらに、間も無く開始するＭＢＭＳのセッション情報、及び／又は初期のＭＢＭＳのセッション情報でもいい。これによって、ＭＢＭＳを載せないＣＣにおいて送信される前記関連制御情報の内容を減少させ、シグナリングオーバーヘッドを減少させる。さらに、送信される前記関連制御情報の改正周期が送信される前記サービス制御情報の改正周期と同じである。この中に、前記間も無く開始するＭＢＭＳとは、ネットワーク側がすでにＭＢＭＳのＭＣＣＨ更新指示（ＭＣＣＨ  ｃｈａｎｇｅ  ｎｏｔｉｆｉｃａｔｉｏｎ)情報を配置したＭＢＭＳである。ＭＢＭＳのサービス制御情報がより長い時間前に予め送信され、配置され、つまり、少なくとも一つのＭＣＣＨ改正周期前に予め送信され、配置されるので、ＭＣＣＨ  ｃｈａｎｇｅ  ｎｏｔｉｆｉｃａｔｉｏｎ情報がすでに配置されたＭＢＭＳを間も無くセッションを開始するＭＢＭＳと呼ばれる。前記間も無く開始するＭＢＭＳのセッション情報が具体的に、ＭＣＣＨ  ｃｈａｎｇｅ  ｎｏｔｉｆｉｃａｔｉｏｎ情報でもいい。前記初期のＭＢＭＳとは、ネットワーク側が既にセッションを開始したが、開始後経過した時間がより短く、たとえば、いくつかのＭＣＣＨ改正周期だけが経過したＭＢＭＳである。つまり、前記初期のＭＢＭＳのセッション情報とは、開始したばかりのＭＢＭＳのセッション情報である。ここでは、間も無く送信開始するＭＢＭＳのセッション情報、及び／又は初期のＭＢＭＳのセッション情報の継続時間長さをニーズに応じて設定してもよい。たとえば、五つのＭＣＣＨ改正周期に設定してもよい。
【００３５】
ＭＢＭＳを載せないＣＣにおいて動作または滞在するＵＥが前記関連制御情報を受信した後、十分な時間を持って自身を調整して、ＭＢＭＳを載せるＣＣにおいて興味があるＭＢＭＳを受信するようにすることを確保するために、この方法は、さらに、ネットワーク側が前記ＭＢＭＳを載せないＣＣにおいて前記関連制御情報を送信する時間が、前記ＭＢＭＳを載せるＣＣにおいて前記サービス制御情報を送信する時間より遅くないことを含んでもいい。
【００３６】
前記関連制御情報を送信する時に、この方法は、さらに、ネットワーク側が前記ＭＢＭＳを載せないＣＣに識別子を追加して、前記ＭＢＭＳを載せないＣＣにおいて前記ＭＢＭＳの前記関連制御情報だけを送信することを指示することを含んでもいい。
前記ネットワーク側が、具体的に、ＭＣＥ、基地局、または中継局であってもいい。
【００３７】
ステップ１０２：ＵＥが前記関連制御情報を受信した後、前記関連制御情報に従って、前記ＭＢＭＳを受信するかどうかを確定する。
具体的に、ＵＥが前記関連制御情報に従って、前記ＭＢＭＳが自身の興味があるＭＢＭＳであるかどうかを確定する。自身の興味があるＭＢＭＳであると確定した時、自身を調整して前記ＭＢＭＳを載せるＣＣにおいて前記ＭＢＭＳを受信する。自身の興味があるＭＢＭＳではないと確定した時、何の動作もしない。この中に、前記ＭＢＭＳは自身の興味があるＭＢＭＳであるかどうかを確定する具体的な処理プロセスが従来の技術であって、自身を調整して前記ＭＢＭＳを載せるＣＣにおいて前記ＭＢＭＳを受信する具体的な処理プロセスが従来の技術であって、ここで重複しない。
【００３８】
以下、具体的な実施例を参照して本発明に対してさらに詳細に説明する。
具体実施例一
本実施例の応用シーンは次の通りである。マルチキャリアアグリゲーションシステムにおいて、三つのＣＣがあって、それぞれはＣＣ１、ＣＣ２、及びＣＣ３である。ＣＣ１だけを選択してサービスデータ及びサービス制御情報を含むＭＢＭＳを送信して、ＣＣ２及びＣＣ３においてＭＢＭＳのサービスデータを送信しない。この中に、前記サービス制御情報が、ＭＣＣＨ情報及びＭＳＩを含む。
【００３９】
本発明の実施例の方法を採用して、ネットワーク側がＣＣ１においてＭＢＭＳのサービス制御情報及び対応するＭＢＭＳデータを送信し、ＣＣ２及びＣＣ３においてＣＣ１におけるＭＢＭＳに対応する関連制御情報だけを送信して、対応するＭＢＭＳデータを送信しない。ここで、前記関連制御情報が、ＭＣＣＨ情報及びＭＳＩを含む。こうすると、ＵＥがＣＣ１において動作または滞在するとすれば、ＵＥが受信された前記関連制御情報に従って、正しく自身の興味があるＭＢＭＳを受信できる。同様に、ＵＥがＣＣ２またはＣＣ３において動作または滞在するとすれば、ＵＥが受信された前記関連制御情報に従って、ＣＣ１に集まって、正確に、タイムリーに自身の興味があるＭＢＭＳを受信できる。
【００４０】
最高の效果を達するため、ネットワーク側がＣＣ２及びＣＣ３において送信される前記関連制御情報に対して以下の処理を実施する。
ＣＣ２及びＣＣ３において送信される前記関連制御情報がＣＣ１において送信された前記サービス制御情報の内容と完全に同じである。即ち、いずれもＭＣＣＨ情報及びＭＳＩであり、且つ内容と位置も同じである。そのほかに、ＣＣ２及びＣＣ３において送信される前記関連制御情報がＣＣ１において送信されるサービス制御情報と厳格な時間整列を保持する。即ち、同じ送信周期、改正周期、フレームオフセット、サブフレーム番号、及びＭＣＳ等を有する。換言すれば、ＣＣ２及びＣＣ３において前記関連制御情報を送信する配置がＣＣ１において前記サービス制御情報を送信する配置が完全に同じである。こうすると、ネットワーク側がＣＣ２及びＣＣ３において送信される前記関連制御情報に関連の配置を設定する必要がなく、直接にＣＣ１において前記サービス制御情報を送信する配置を使用すればいい。そうすると、ネットワーク側を簡単に実現できる。
【００４１】
同時に、前記関連情報の適時性を確保するために、ネットワーク側がＣＣ２及びＣＣ３において前記関連制御情報を送信する時間がＣＣ１において前記サービス制御情報を送信する時間より遅くなくて、ＵＥにある程度の時間を確保して、ＣＣ１において自身の興味があるＭＢＭＳを受信することを可能とする。本実施例において、ＣＣ２及びＣＣ３において送信される前記関連制御情報がＣＣ１において送信される前記サービス制御情報の内容と完全に同じであるので、ネットワーク側がＣＣ２及びＣＣ３において前記関連制御情報を送信する時間がＣＣ１において前記サービス制御情報を送信する時間と完全に同じである。
【００４２】
また、ネットワーク側が各ＣＣに識別子を追加して、当該ＣＣがサービスデータ及サービス制御情報を含むＭＢＭＳを載せるか、前記ＭＢＭＳに対応する前記関連制御情報だけを載せるかを表示する必要がある。前記識別子を設計する時に、ニーズに応じて柔軟に設計し、ＣＣの機能を表示できればいい。前記識別子の具体的な設計方式が柔軟であるが、機能と目的が同じである。即ち、当該ＣＣがサービスデータ及びサービス制御情報を含むＭＢＭＳを載せるか、或いは、前記ＭＢＭＳに対応する前記関連制御情報だけを載せるか表示することである。本実施において提供された実現方式が、各ＣＣにおけるＢＣＣＨ情報に一つの指示を追加することにより実現することである。具体的に、サービスデータ及びサービス制御情報を含むＭＢＭＳを載せるＣＣにおけるＢＣＣＨ情報に指示を追加して、このＣＣがサービスデータ及びサービス制御情報を含むＭＢＭＳを載せるＣＣであることを表示する。その他のサービスデータ及びサービス制御情報を含むＭＢＭＳを載せないＣＣにおけるＢＣＣＨ情報に指示を追加しない。即ち、ＣＣ１におけるＢＣＣＨ情報に指示を追加して、ＣＣ２及びＣＣ３におけるＢＣＣＨ情報に指示を追加しない。
【００４３】
具体実施例二
本実施例の応用シーンが次の通りである。マルチキャリアアグリゲーションシステムにおいて、三つのＣＣがあって、それぞれはＣＣ１、ＣＣ２、及びＣＣ３である。ＣＣ１だけを選択してサービスデータ及びサービス制御情報を含むＭＢＭＳを送信して、ＣＣ２及びＣＣ３においてＭＢＭＳのサービスデータを送信しない。この中に、前記サービス制御情報が、ＭＣＣＨ情報及びＭＳＩを含む。
【００４４】
本発明の実施例の方法を採用して、ネットワーク側がＣＣ１においてＭＢＭＳのサービス制御情報及び対応するＭＢＭＳデータを送信し、ＣＣ２及びＣＣ３においてＣＣ１におけるＭＢＭＳに対応する関連制御情報だけを送信して、対応するＭＢＭＳデータを送信しない。ここで、前記関連制御情報がＭＣＣＨ情報である。こうすると、ＵＥがＣＣ１において動作または滞在するとすれば、ＵＥが受信された前記関連制御情報に従って、正しく自身の興味があるＭＢＭＳを受信できる。同様に、ＵＥがＣＣ２またはＣＣ３において動作または滞在するとすれば、ＵＥが受信された前記関連制御情報に従って、ＣＣ１に集まって、正確に、タイムリーに自身の興味があるＭＢＭＳを受信できる。
【００４５】
最高の効果を達成するために、ネットワーク側がＣＣ２及びＣＣ３において送信される前記関連制御情報に対して下記処理を実施する、
ＣＣ２及びＣＣ３において送信される前記関連制御情報が間も無く開始するＭＢＭＳのセッション情報であって、ＣＣ２及びＣＣ３において送信される前記関連制御情報の内容を減少させ、シグナリングオーバーヘッドを減少させる。
【００４６】
ネットワーク側がＣＣ２及びＣＣ３において前記関連制御情報を送信する時間がＣＣ１において前記サービス制御情報を送信する時間より早い、ここで、具体的なタイミングアドバンスが制限されなくて、ネットワーク側に配置された前記サービス制御情報の時間点に従って確定できる。前記関連制御情報を送信する前にＣＣ２及びＣＣ３においてそれぞれの前記関連制御情報の送信周期、フレームオフセット、サブフレーム番号を事前に配置する必要がある。これにより、前記関連制御情報の送信を実現する。ただし、ＣＣ２及びＣＣ３に配置された前記関連制御情報の改正周期がＣＣ１に配置された前記サービス制御情報の改正周期と整列しなければいけない。即ち、送信される前記関連制御情報は送信される前記サービス制御情報と改正周期が同じである。ネットワーク側がＣＣ２及びＣＣ３において送信された前記関連制御情報がいくつかのＭＣＣＨ改正周期だけ継続すればいい。ここで、送信される前記関連制御情報が継続するＭＣＣＨ改正周期の数をニーズに応じて設置すればよい。例えば、五つのＭＣＣＨ改正周期で送信すればよい。この中に、ネットワーク側がＣＣ２及びＣＣ３において前記関連制御情報を送信することがいくつかのＭＣＣＨ改正周期だけ継続する原因が、継続時間が長すぎると、間も無く開始するＭＢＭＳのセッション情報ではなくなるためである。
ネットワーク側はＣＣ１に識別子を追加して、ＣＣ１がＭＢＭＳを載せることを表示する一方、ＣＣ２及びＣＣ３に前記識別子を追加しない。または、ネットワーク側がＭＢＭＳを載せないＣＣに識別子を追加して、ＣＣ２及びＣＣ３がＭＢＭＳを載せなくて、前記関連制御情報だけを載せることを表示する一方、ＣＣ１に前記識別子を追加しない。
【００４７】
具体実施例三
本実施例的応用シーンが次の通りである。マルチキャリアアグリゲーションシステムにおいて、三つのＣＣがあって、それぞれはＣＣ１、ＣＣ２、及びＣＣ３である。ＣＣ１だけを選択して、サービスデータ及びサービス制御情報を含むＭＢＭＳを送信して、ＣＣ２及びＣＣ３にＭＢＭＳのサービスデータを送信しない。この中に、前記サービス制御情報は、ＭＣＣＨ情報及びＭＳＩを含む。
【００４８】
本発明の実施例の方法を採用して、ネットワーク側がＣＣ１においてＭＢＭＳのサービス制御情報及び対応するＭＢＭＳデータを送信し、ＣＣ２及びＣＣ３においてＣＣ１におけるＭＢＭＳに対応する関連制御情報だけを送信して、対応するＭＢＭＳデータを送信しない。こうすると、ＵＥがＣＣ１において動作または滞在するとすれば、ＵＥが受信された前記関連制御情報に従って、正しく自身の興味があるＭＢＭＳを受信できる。同様に、ＵＥがＣＣ２またはＣＣ３において動作または滞在するとすれば、ＵＥが受信された前記関連制御情報に従って、ＣＣ１に集まって、正確に、タイムリーに興味があるＭＢＭＳを受信できる。
【００４９】
最高の効果を達成するために、ネットワーク側がＣＣ２及びＣＣ３において送信される前記関連制御情報に対して下記処理を実施する。
ＣＣ２及びＣＣ３において送信される前記関連制御情報が、ＣＣ１に送信される間も無く開始する、及び／又は初期のＭＢＭＳのセッション情報を含み、ＣＣ２及びＣＣ３において送信される前記関連制御情報のシグナリングオーバーヘッドを減少させる。この中に、ＣＣ２及びＣＣ３に送信される前記関連制御情報が間も無く開始する、及び／又は初期のＭＢＭＳのセッション情報だけである場合に、ネットワーク側がＣＣ２及びＣＣ３において前記関連制御情報を送信することがいくつかのＭＣＣＨ改正周期だけ継続すればいい。ここで、送信される前記関連制御情報が継続するＭＣＣＨ改正周期の数をニーズに応じて設置すればよい。たとえば、五つのＭＣＣＨ改正周期で送信すればよい。この中に、ネットワーク側がＣＣ２及びＣＣ３において前記関連制御情報を送信することがいくつかのＭＣＣＨ改正周期だけ継続する原因が、継続時間が長すぎると、間も無く開始するＭＢＭＳのセッション情報ではなくなって、または開始したばかりのＭＢＭＳのセッション情報ではなくなるためである。
【００５０】
ネットワーク側がＣＣ２及びＣＣ３において前記関連制御情報を送信する時間がＣＣ１において前記サービス制御情報を送信する時間より早い、ここで、具体的なタイミングアドバンスが制限されない、ネットワーク側に配置された前記サービス制御情報の時間点に従って確定できる。前記関連制御情報を送信する前に、ＣＣ２及びＣＣ３に事前にそれぞれの前記関連制御情報の送信周期、フレームオフセット、サブフレーム番号を配置する必要がある。これにより、前記関連制御情報の送信を実現する。ただし、ＣＣ２及びＣＣ３に配置された前記関連制御情報の改正周期がＣＣ１において配置される前記サービス制御情報の改正周期と整列しなければいけない。即ち、送信される前記関連制御情報は送信される前記サービス制御情報と改正周期が同じである。
【００５１】
ネットワーク側がＣＣ１に識別子を追加して、ＣＣ１がＭＢＭＳを載せることを表示する一方、ＣＣ２及びＣＣ３に前記識別子を追加しない。または、ネットワーク側がＣＣ２及びＣＣ３に識別子を追加して、ＣＣ２及びＣＣ３がＭＢＭＳを載せなくて、前記関連制御情報だけを載せることを表示する一方、ＣＣ１に前記識別子を追加しない。
【００５２】
前記方法を実現するため、本発明の実施例が、さらに、マルチキャリアアグリゲーションシステムにおいてＭＢＭＳ制御情報を送信するシステムを提供する。図２に示すように、このシステムが、ネットワーク側２１を含み、ＭＢＭＳを送信する際に、ＭＢＭＳを載せないＣＣにおいてＭＢＭＳを載せるＣＣにおけるＭＢＭＳの関連制御情報を送信することに使用される。
【００５３】
この中に、前記関連制御情報を送信する時に、前記ネットワーク側２１が、さらに、ＣＣをＭＢＭＳを載せるＣＣとＭＢＭＳを載せないＣＣとに確定して、ＭＢＭＳを載せるＣＣにおいてＭＢＭＳのサービス制御情報及びサービスデータを送信することに使用される。
【００５４】
前記関連制御情報を送信する時に、前記ネットワーク側２１が、さらに前記ＭＢＭＳを載せないＣＣに識別子を追加して、前記ＭＢＭＳを載せないＣＣにおいて前記ＭＢＭＳの前記関連制御情報だけを送信することを指示することに使用される。
【００５５】
このシステムは、さらにＵＥ２２を含み、前記関連制御情報を受信した後、前記関連制御情報に従って、前記ＭＢＭＳを受信するかどうかを確定する。
ここで、前記ネットワーク側が、具体的に、ＭＣＥ、基地局、または中継局であってもよい。
【００５６】
本発明の実施例に記載されたシステムにおけるネットワーク側およびＵＥの具体的な処理プロセスが前記で説明したので、重複しない。
以上は、本発明の好ましい実施例に過ぎない、本発明の保護範囲を限定しない。
【図１】
0005891302.tif 000002
【図２】
0005891302.tif 000003